【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
マイクロフォンから入力される会議の発言者の音声の音声データを受付可能な情報処理装置と、前記会議で利用される資料を記憶可能な議事録管理サーバとを備え、情報処理装置と議事録管理サーバが相互に通信可能なネットワーク会議システムにおいて、
前記情報処理装置は、
前記マイクロフォンから入力される前記発言者の音声の音声データを前記議事録管理サーバに送信する第一の音声データ送信手段とを備え、
前記議事録管理サーバは、
前記情報処理装置より送信される音声の音声データと、当該音声データの発言元である情報処理装置から特定される発言者を特定する情報と発言時刻とを記憶する音声データ記憶手段と、
前記会議で利用された資料の各ページの表示時刻を記憶する資料表示時刻記憶手段と、
前記音声データ記憶手段で記憶された音声の発言時刻と、前記資料表示時刻記憶手段で記憶された資料の各ページの表示時刻とを対応付けて記憶するプレゼンテーション記憶手段と、
前記情報処理装置から送信された再生要求に対応した資料のページを前記情報処理装置に送信するページ送信手段と、
前記情報処理装置から送信された音声再生要求に対応した音声データを前記情報処理装置に送信する第二の音声データ送信手段とを備え、
前記情報処理装置は、
表示させる前記資料の前記表示時刻を示す表示指定時刻を指示する指示部と、前記表示指定時刻に対応した資料のページを表示させるための指示をする再生指示部と、当該指示部で指示された表示指定時刻に対応した前記議事録管理サーバから送信される前記資料のページを表示するための表示領域と、前記表示指定時刻に対応した前記議事録管理サーバに記憶されている音声データを再生するための指示をする音声再生指示部とを備える再生表示画面を表示部に表示する表示手段と、
前記表示手段により表示される再生表示画面の再生指示部からの指示に応じて、前記議事録管理サーバに記憶されている前記資料の該当するページの再生要求を行う再生要求手段と、
前記表示手段により表示される再生表示画面の音声再生指示部からの指示に応じて、前記議事録管理サーバに記憶されている前記音声の該当する音声データの音声再生要求を行う音声再生要求手段とを更に備えることを特徴とするネットワーク会議システム。
【請求項２】
前記議事録管理サーバは、
前記音声データ記憶手段より記憶された前記音声の音声データを音声テキストとして変換する音声テキスト化手段とを更に備え、
前記プレゼンテーション記憶手段は、前記音声テキスト化手段によりテキスト化された音声テキストと、該音声テキストの元となる前記音声データの発言時刻と、当該音声データの発言者を特定する情報とを対応付けて記憶することを特徴とする請求項１記載のネットワーク会議システム。
【請求項３】
前記議事録管理サーバの前記ページ送信手段は、前記情報処理装置から送信された再生要求に対応した資料のページと、前記資料の表示時刻に対応する前記音声テキスト化手段によりテキスト化した前記音声データの音声テキストを前記情報処理装置に更に送信し、
前記情報処理装置の前記表示手段により表示される再生表示画面は、音声テキストを表示するための音声テキスト表示領域を更に備えており、
前記表示手段は、前記再生表示画面の再生指示部からの指示に応じて該音声テキスト表示領域で前記資料の表示時刻に対応する前記音声テキストを表示することを特徴とする請求項２記載のネットワーク会議システム。
【請求項４】
マイクロフォンから入力される会議の発言者の音声の音声データを受付可能な情報処理装置と、前記会議で利用される資料を記憶可能な議事録管理サーバとを備え、情報処理装置と議事録管理サーバが相互に通信可能なネットワーク会議システムの制御方法であって、
前記情報処理装置において、
前記マイクロフォンから入力される前記発言者の音声の音声データを前記議事録管理サーバに送信する第一の音声データ送信ステップとを実行し、
前記議事録管理サーバにおいて、
前記情報処理装置より送信される音声の音声データと、当該音声データの発言元である情報処理装置から特定される発言者を特定する情報と発言時刻とを記憶する音声データ記憶ステップを実行し、
前記会議で利用された資料の各ページの表示時刻を記憶する資料表示時刻記憶ステップを実行し、
前記音声データ記憶ステップで記憶された音声の発言時刻と、前記資料表示時刻記憶ステップで記憶された資料の各ページの表示時刻とを対応付けて記憶するプレゼンテーション記憶ステップを実行し、
前記情報処理装置から送信された再生要求に対応した資料のページを前記情報処理装置に送信するページ送信ステップを実行し、
前記情報処理装置から送信された音声再生要求に対応した音声データを前記情報処理装置に送信する第二の音声データ送信ステップとを実行し、
前記情報処理装置において、
表示させる前記資料の前記表示時刻を示す表示指定時刻を指示する指示部と、前記表示指定時刻に対応した資料のページを表示させるための指示をする再生指示部と、当該指示部で指示された表示指定時刻に対応した前記議事録管理サーバから送信される前記資料のページを表示するための表示領域と、前記表示指定時刻に対応した前記議事録管理サーバに記憶されている音声データを再生するための指示をする音声再生指示部とを備える再生表示画面を表示部に表示する表示ステップを実行し、
前記表示ステップにより表示される再生表示画面の再生指示部からの指示に応じて、前記議事録管理サーバに記憶されている前記資料の該当するページの再生要求を行う再生要求ステップを実行し、
前記表示ステップにより表示される再生表示画面の音声再生指示部からの指示に応じて、前記議事録管理サーバに記憶されている前記音声の該当する音声データの音声再生要求を行う音声再生要求ステップとを更に実行することを特徴とするネットワーク会議システムの制御方法。
【請求項５】
マイクロフォンから入力される会議の発言者の音声の音声データを受付可能な情報処理装置と、前記会議で利用される資料を記憶可能な議事録管理サーバとを備え、情報処理装置と議事録管理サーバが相互に通信可能なネットワーク会議システムの制御方法をコンピュータに実行させるプログラムであって、
前記ネットワーク会議システムの制御方法は、
前記情報処理装置において、
前記マイクロフォンから入力される前記発言者の音声の音声データを前記議事録管理サーバに送信する第一の音声データ送信ステップとを実行し、
前記議事録管理サーバにおいて、
前記情報処理装置より送信される音声の音声データと、当該音声データの発言元である情報処理装置から特定される発言者を特定する情報と発言時刻とを記憶する音声データ記憶ステップを実行し、
前記会議で利用された資料の各ページの表示時刻を記憶する資料表示時刻記憶ステップを実行し、
前記音声データ記憶ステップで記憶された音声の発言時刻と、前記資料表示時刻記憶ステップで記憶された資料の各ページの表示時刻とを対応付けて記憶するプレゼンテーション記憶ステップを実行し、
前記情報処理装置から送信された再生要求に対応した資料のページを前記情報処理装置に送信するページ送信ステップを実行し、
前記情報処理装置から送信された音声再生要求に対応した音声データを前記情報処理装置に送信する第二の音声データ送信ステップとを実行し、
前記情報処理装置において、
表示させる前記資料の前記表示時刻を示す表示指定時刻を指示する指示部と、前記表示指定時刻に対応した資料のページを表示させるための指示をする再生指示部と、当該指示部で指示された表示指定時刻に対応した前記議事録管理サーバから送信される前記資料のページを表示するための表示領域と、前記表示指定時刻に対応した前記議事録管理サーバに記憶されている音声データを再生するための指示をする音声再生指示部とを備える再生表示画面を表示部に表示する表示ステップを実行し、
前記表示ステップにより表示される再生表示画面の再生指示部からの指示に応じて、前記議事録管理サーバに記憶されている前記資料の該当するページの再生要求を行う再生要求ステップを実行し、
前記表示ステップにより表示される再生表示画面の音声再生指示部からの指示に応じて、前記議事録管理サーバに記憶されている前記音声の該当する音声データの音声再生要求を行う音声再生要求ステップとを更に実行することを特徴とするプログラム。
【請求項６】
マイクロフォンから入力される会議の発言者の音声の音声データを受付可能な情報処理装置と通信可能な、前記会議で利用される資料を記憶する議事録管理サーバにおいて、
前記情報処理装置より送信される音声の音声データと、当該音声データの発言元である情報処理装置から特定される発言者を特定する情報と発言時刻とを記憶する音声データ記憶手段と、
前記会議で利用された資料の各ページの表示時刻を記憶する資料表示時刻記憶手段と、
前記音声データ記憶手段で記憶された音声の発言時刻と、前記資料表示時刻記憶手段で記憶された資料の各ページの表示時刻とを対応付けて記憶するプレゼンテーション記憶手段と、
前記情報処理装置から送信される再生要求に対応した資料のページを前記情報処理装置に送信するページ送信手段と、
前記情報処理装置から送信される音声再生要求に対応した音声データを前記情報処理装置に送信する音声データ送信手段とを備えることを特徴とする議事録管理サーバ。
【請求項７】
マイクロフォンから入力される会議の発言者の音声の音声データを受付可能な情報処理装置と通信可能な、前記会議で利用される資料を記憶する議事録管理サーバを制御する議事録管理サーバの制御方法であって、
前記情報処理装置より送信される音声の音声データと、当該音声データの発言元である情報処理装置から特定される発言者を特定する情報と発言時刻とを記憶する音声データ記憶ステップを実行し、
前記会議で利用された資料のページの表示時刻を記憶する資料表示時刻記憶ステップを実行し、
前記音声データ記憶ステップで記憶された音声の発言時刻と、前記資料表示時刻記憶ステップで記憶された資料の各ページの表示時刻とを対応付けて記憶するプレゼンテーション記憶ステップを実行し、
前記情報処理装置から送信された再生要求に対応した資料のページを前記情報処理装置に送信するページ送信ステップを実行し、
前記情報処理装置から送信された音声再生要求に対応した音声データを前記情報処理装置に送信する音声データ送信ステップを実行することを特徴とする議事録管理サーバの制御方法。
【請求項８】
マイクロフォンから入力される会議の発言者の音声の音声データを受付可能な情報処理装置と通信可能な、前記会議で利用される資料を記憶する議事録管理サーバの制御方法をコンピュータに実行させるプログラムであって、
前記議事録管理サーバの制御方法は、
前記情報処理装置より送信される音声の音声データと、当該音声データの発言元である情報処理装置から特定される発言者を特定する情報と発言時刻とを記憶する音声データ記憶ステップを実行し、
前記会議で利用された資料のページの表示時刻を記憶する資料表示時刻記憶ステップを実行し、
前記音声データ記憶ステップで記憶された音声の発言時刻と、前記資料表示時刻記憶ステップで記憶された資料の各ページの表示時刻とを対応付けて記憶するプレゼンテーション記憶ステップを実行し、
前記情報処理装置から送信された再生要求に対応した資料のページを前記情報処理装置に送信するページ送信ステップを実行し、
前記情報処理装置から送信された音声再生要求に対応した音声データを前記情報処理装置に送信する音声データ送信ステップを実行することを特徴とするプログラム。
【請求項９】
請求項５記載のプログラムを格納するコンピュータ読み取り可能な記憶媒体。
【請求項１０】
請求項８記載のプログラムを格納するコンピュータ読み取り可能な記憶媒体。
【手続補正２】
【補正対象書類名】明細書
【補正対象項目名】発明の名称
【補正方法】変更
【補正の内容】
【発明の名称】ネットワーク会議システム、その制御方法、プログラム、及び記憶媒体、並びに議事録管理サーバ、その制御方法、プログラム、及び記憶媒体
【手続補正３】
【補正対象書類名】明細書
【補正対象項目名】０００１
【補正方法】変更
【補正の内容】
【０００１】
本発明は、ネットワークを介して複数人が会議を行うために用いられるネットワーク会議システム、ネットワーク会議方法、及び該方法を実行させるためのプログラムに関し、特に、会議の議事録を自動的に記憶することが可能なネットワーク会議システム、その制御方法、プログラム、及び記憶媒体、並びに議事録管理サーバ、その制御方法、プログラム、及び記憶媒体に関する。
【手続補正４】
【補正対象書類名】明細書
【補正対象項目名】０００７
【補正方法】変更
【補正の内容】
【０００７】
本発明の目的は、実際の会議進行と同様の会議進行を可能にすると共に第三者が会議内容をリアルに体験可能な議事録の作成を実現するネットワーク会議システム、その制御方法、プログラム、及び記憶媒体、並びに議事録管理サーバ、その制御方法、プログラム、及び記憶媒体を提供することにある。
【手続補正５】
【補正対象書類名】明細書
【補正対象項目名】０００８
【補正方法】変更
【補正の内容】
【０００８】
上記目的を達成するために、本発明の請求項１記載のネットワーク会議システムは、マイクロフォンから入力される会議の発言者の音声の音声データを受付可能な情報処理装置と、前記会議で利用される資料を記憶可能な議事録管理サーバとを備え、情報処理装置と議事録管理サーバが相互に通信可能なネットワーク会議システムにおいて、前記情報処理装置は、前記マイクロフォンから入力される前記発言者の音声の音声データを前記議事録管理サーバに送信する第一の音声データ送信手段とを備え、前記議事録管理サーバは、前記情報処理装置より送信される音声の音声データと、当該音声データの発言元である情報処理装置から特定される発言者を特定する情報と発言時刻とを記憶する音声データ記憶手段と、前記会議で利用された資料の各ページの表示時刻を記憶する資料表示時刻記憶手段と、前記音声データ記憶手段で記憶された音声の発言時刻と、前記資料表示時刻記憶手段で記憶された資料の各ページの表示時刻とを対応付けて記憶するプレゼンテーション記憶手段と、前記情報処理装置から送信された再生要求に対応した資料のページを前記情報処理装置に送信するページ送信手段と、前記情報処理装置から送信された音声再生要求に対応した音声データを前記情報処理装置に送信する第二の音声データ送信手段とを備え、前記情報処理装置は、表示させる前記資料の前記表示時刻を示す表示指定時刻を指示する指示部と、前記表示指定時刻に対応した資料のページを表示させるための指示をする再生指示部と、当該指示部で指示された表示指定時刻に対応した前記議事録管理サーバから送信される前記資料のページを表示するための表示領域と、前記表示指定時刻に対応した前記議事録管理サーバに記憶されている音声データを再生するための指示をする音声再生指示部とを備える再生表示画面を表示部に表示する表示手段と、前記表示手段により表示される再生表示画面の再生指示部からの指示に応じて、前記議事録管理サーバに記憶されている前記資料の該当するページの再生要求を行う再生要求手段と、前記表示手段により表示される再生表示画面の音声再生指示部からの指示に応じて、前記議事録管理サーバに記憶されている前記音声の該当する音声データの音声再生要求を行う音声再生要求手段とを更に備えることを特徴とする。
また、上記目的を達成するために、本発明の請求項４記載のネットワーク会議システムの制御方法は、マイクロフォンから入力される会議の発言者の音声の音声データを受付可能な情報処理装置と、前記会議で利用される資料を記憶可能な議事録管理サーバとが相互に通信可能なネットワーク会議システムを制御するネットワーク会議システムの制御方法であって、前記情報処理装置において、前記マイクロフォンから入力される前記発言者の音声の音声データを前記議事録管理サーバに送信する第一の音声データ送信ステップとを実行し、前記議事録管理サーバにおいて、前記情報処理装置より送信される音声の音声データと、当該音声データの発言元である情報処理装置から特定される発言者を特定する情報と発言時刻とを記憶する音声データ記憶ステップを実行し、前記会議で利用された資料の各ページの表示時刻を記憶する資料表示時刻記憶ステップを実行し、前記音声データ記憶ステップで記憶された音声の発言時刻と、前記資料表示時刻記憶ステップで記憶された資料の各ページの表示時刻とを対応付けて記憶するプレゼンテーション記憶ステップを実行し、前記情報処理装置から送信された再生要求に対応した資料のページを前記情報処理装置に送信するページ送信ステップを実行し、前記情報処理装置から送信された音声再生要求に対応した音声データを前記情報処理装置に送信する第二の音声データ送信ステップとを実行し、前記情報処理装置において、表示させる前記資料の前記表示時刻を示す表示指定時刻を指示する指示部と、前記表示指定時刻に対応した資料のページを表示させるための指示をする再生指示部と、当該指示部で指示された表示指定時刻に対応した前記議事録管理サーバから送信される前記資料のページを表示するための表示領域と、前記表示指定時刻に対応した前記議事録管理サーバに記憶されている音声データを再生するための指示をする音声再生指示部とを備える再生表示画面を表示部に表示する表示ステップを実行し、前記表示ステップにより表示される再生表示画面の再生指示部からの指示に応じて、前記議事録管理サーバに記憶されている前記資料の該当するページの再生要求を行う再生要求ステップを実行し、前記表示ステップにより表示される再生表示画面の音声再生指示部からの指示に応じて、前記議事録管理サーバに記憶されている前記音声の該当する音声データの音声再生要求を行う音声再生要求ステップとを更に実行することを特徴とする。
また、上記目的を達成するために、本発明の請求項５記載のプログラムは、マイクロフォンから入力される会議の発言者の音声の音声データを受付可能な情報処理装置と、前記会議で利用される資料を記憶可能な議事録管理サーバとが相互に通信可能なネットワーク会議システムを制御するネットワーク会議システムの制御方法をコンピュータに実行させるプログラムであって、前記ネットワーク会議システムの制御方法は、前記情報処理装置において、前記マイクロフォンから入力される前記発言者の音声の音声データを前記議事録管理サーバに送信する第一の音声データ送信ステップとを実行し、前記議事録管理サーバにおいて、前記情報処理装置より送信される音声の音声データと、当該音声データの発言元である情報処理装置から特定される発言者を特定する情報と発言時刻とを記憶する音声データ記憶ステップを実行し、前記会議で利用された資料の各ページの表示時刻を記憶する資料表示時刻記憶ステップを実行し、前記音声データ記憶ステップで記憶された音声の発言時刻と、前記資料表示時刻記憶ステップで記憶された資料の各ページの表示時刻とを対応付けて記憶するプレゼンテーション記憶ステップを実行し、前記情報処理装置から送信された再生要求に対応した資料のページを前記情報処理装置に送信するページ送信ステップを実行し、前記情報処理装置から送信された音声再生要求に対応した音声データを前記情報処理装置に送信する第二の音声データ送信ステップとを実行し、前記情報処理装置において、表示させる前記資料の前記表示時刻を示す表示指定時刻を指示する指示部と、前記表示指定時刻に対応した資料のページを表示させるための指示をする再生指示部と、当該指示部で指示された表示指定時刻に対応した前記議事録管理サーバから送信される前記資料のページを表示するための表示領域と、前記表示指定時刻に対応した前記議事録管理サーバに記憶されている音声データを再生するための指示をする音声再生指示部とを備える再生表示画面を表示部に表示する表示ステップを実行し、前記表示ステップにより表示される再生表示画面の再生指示部からの指示に応じて、前記議事録管理サーバに記憶されている前記資料の該当するページの再生要求を行う再生要求ステップを実行し、前記表示ステップにより表示される再生表示画面の音声再生指示部からの指示に応じて、前記議事録管理サーバに記憶されている前記音声の該当する音声データの音声再生要求を行う音声再生要求ステップとを更に実行することを特徴とする。
また、上記目的を達成するために、本発明の請求項６記載の議事録管理サーバは、マイクロフォンから入力される会議の発言者の音声の音声データを受付可能な情報処理装置と通信可能な、前記会議で利用される資料を記憶する議事録管理サーバにおいて、前記情報処理装置より送信される音声の音声データと、当該音声データの発言元である情報処理装置から特定される発言者を特定する情報と発言時刻とを記憶する音声データ記憶手段と、前記会議で利用された資料の各ページの表示時刻を記憶する資料表示時刻記憶手段と、前記音声データ記憶手段で記憶された音声の発言時刻と、前記資料表示時刻記憶手段で記憶された資料の各ページの表示時刻とを対応付けて記憶するプレゼンテーション記憶手段と、前記情報処理装置から送信される再生要求に対応した資料のページを前記情報処理装置に送信するページ送信手段と、前記情報処理装置から送信される音声再生要求に対応した音声データを前記情報処理装置に送信する音声データ送信手段とを備えることを特徴とする。
また、上記目的を達成するために、本発明の請求項７記載の議事録管理サーバの制御方法は、マイクロフォンから入力される会議の発言者の音声の音声データを受付可能な情報処理装置と通信可能な、前記会議で利用される資料を記憶する議事録管理サーバを制御する議事録管理サーバの制御方法であって、前記情報処理装置より送信される音声の音声データと、当該音声データの発言元である情報処理装置から特定される発言者を特定する情報と発言時刻とを記憶する音声データ記憶ステップを実行し、前記会議で利用された資料のページの表示時刻を記憶する資料表示時刻記憶ステップを実行し、前記音声データ記憶ステップで記憶された音声の発言時刻と、前記資料表示時刻記憶ステップで記憶された資料の各ページの表示時刻とを対応付けて記憶するプレゼンテーション記憶ステップを実行し、前記情報処理装置から送信された再生要求に対応した資料のページを前記情報処理装置に送信するページ送信ステップを実行し、前記情報処理装置から送信された音声再生要求に対応した音声データを前記情報処理装置に送信する音声データ送信ステップを実行することを特徴とする。
また、上記目的を達成するために、本発明の請求項８記載のプログラムは、マイクロフォンから入力される会議の発言者の音声の音声データを受付可能な情報処理装置と通信可能な、前記会議で利用される資料を記憶する議事録管理サーバを制御する議事録管理サーバの制御方法をコンピュータに実行させるプログラムであって、前記議事録管理サーバの制御方法は、前記情報処理装置より送信される音声の音声データと、当該音声データの発言元である情報処理装置から特定される発言者を特定する情報と発言時刻とを記憶する音声データ記憶ステップを実行し、前記会議で利用された資料のページの表示時刻を記憶する資料表示時刻記憶ステップを実行し、前記音声データ記憶ステップで記憶された音声の発言時刻と、前記資料表示時刻記憶ステップで記憶された資料の各ページの表示時刻とを対応付けて記憶するプレゼンテーション記憶ステップを実行し、前記情報処理装置から送信された再生要求に対応した資料のページを前記情報処理装置に送信するページ送信ステップを実行し、前記情報処理装置から送信された音声再生要求に対応した音声データを前記情報処理装置に送信する音声データ送信ステップを実行することを特徴とする。
また、上記目的を達成するために、本発明の請求項９記載のコンピュータ読み取り可能な記憶媒体は、請求項５記載のプログラムを格納することを特徴とする。
また、上記目的を達成するために、本発明の請求項１０記載のコンピュータ読み取り可能な記憶媒体は、請求項８記載のプログラムを格納することを特徴とする。